(57)【要約】【課題】  ユーザが特別な操作をしなくても、表示部の状態や表示すべきデータに応じて、最適な状態で映像や映像とデータを表示する。【解決手段】  表示部状態検出部１０７は、主に映像を見るのに適した状態を映像閲覧状態であるか、映像とデータ放送の両方をみたり、操作をしたりするのに適した状態を映像・データ閲覧状態であるかを検出する。表示制御部１０５は、データ放送処理部１０２、映像処理部１０３、携帯電話制御１１０から表示データを受け取り、映像閲覧状態では、横長の表示部１２０に映像１３０を表示し、映像・データ閲覧状態では、縦長の表示部１２０の上部に映像１３０、下部にデータ放送の内容１４０を表示する。【選択図】  図１
2006180071.tif 000002
【特許請求の範囲】
【請求項１】
表示手段が設けられた表示部筐体と操作手段が設けられた操作部筐体とを有し、前記表示部筐体が前記操作部筐体に対して可動である携帯端末であって、
前記表示部筐体が第１の状態にあるか、前記第１の状態とは異なる第２の状態にあるかを検出する状態検出手段と、
前記状態検出手段により前記表示部筐体が第１の状態にあると検出された場合には、前記表示手段に映像を表示し、前記状態検出手段により前記表示部筐体が第２の状態にあると検出された場合には、前記表示手段に映像と映像以外の情報とを並べて表示する表示切り替え手段と
具備することを特徴とする携帯端末。
【請求項２】
データ放送を含むテレビ放送を受信する受信手段を具備し、
前記表示切り替え手段は、前記状態検出手段により前記表示部筐体が第１の状態にあると検出された場合には、前記表示手段にテレビ放送を表示し、前記状態検出手段により前記表示部筐体が第２の状態にあると検出された場合には、前記表示手段にテレビ放送とデータ放送とを並べて表示することを特徴とする請求項１記載の携帯端末。
【請求項３】
新着メールが受信されたことを検出するメール検出手段とを具備し、
前記表示切り替え手段は、前記状態検出手段により前記表示部筐体が第２の状態にあると検出された場合に、前記メール検出手段により新着メールが検出された場合には、データ放送に代えて前記新着メールの内容を表示することを特徴とする請求項２記載の携帯端末。
【請求項４】
前記状態検出手段は、前記操作手段が外向きの前記表示部筐体によって覆われた状態を前記第１の状態として検出し、前記操作手段が操作可能な状態を第２の状態として検出することを特徴とする請求項１ないし３のいずれかに記載の携帯端末。
【請求項５】
前記状態検出手段は、前記表示手段が横長にある状態を前記第１の状態として検出し、前記表示手段が縦長にある状態を第２の状態として検出することを特徴とする請求項１ないし３のいずれかに記載の携帯端末。
【請求項６】
前記表示部筐体と前記操作部筐体とは、前記表示部筐体が第１の回転軸と該第１の回転軸と直交する第２の回転軸とで回転可能な２軸ヒンジ機構で結合されていることを特徴とする請求項４または５記載の携帯端末。
【請求項７】
前記表示部筐体と前記操作部筐体とは、前記操作部筐体を前記表示部筐体の下方に出し入れ可能なスライド機構で結合されていることを特徴とする請求項４または５記載の携帯端末。
【請求項８】
前記表示部筐体と前記操作部筐体とは、前記表示部筐体を外向きにした状態で水平方向に少なくとも１８０度回転可能な回転機構で結合されていることを特徴とする請求項４または５記載の携帯端末。
【請求項９】
前記表示部筐体は、前記表示部筐体と前記操作部筐体とは、前記表示部筐体が前記操作部筐体に対して横に少なくとも９０度回転可能な回転機構で結合されていることを特徴とする請求項５記載の携帯端末。
【請求項１０】
表示手段が設けられた表示部筐体と操作手段が設けられた操作部筐体とを有し、前記表示部筐体が前記操作部筐体に対して可動である携帯端末の前記表示手段に映像を表示する映像表示方法であって、
前記表示部筐体が第１の状態にあるか、前記第１の状態とは異なる第２の状態にあるかを検出し、前記表示部筐体が第１の状態にあると検出された場合には、前記表示手段に映像を表示し、前記表示部筐体が第２の状態にあると検出された場合には、前記表示手段に映像と映像以外の情報とを並べて表示することを特徴とする映像表示方法。
【請求項１１】
前記映像は、テレビ放送であり、前記映像以外の情報は、テレビ放送に含まれるデータ放送であることを特徴とする請求項１０記載の映像表示方法。
【請求項１２】
前記映像以外の情報は、新着メールの内容であることを特徴とする請求項１１記載の映像表示方法。
【請求項１３】
前記第１の状態は、前記操作手段が外向きの前記表示部筐体によって覆われた状態であり、前記第２の状態は、前記操作手段が操作可能な状態であることを特徴とする請求項１０ないし１２のいずれかに記載の映像表示方法。
【請求項１４】
前記第１の状態は、前記表示手段が横長にある状態であり、前記第２の状態は、前記表示手段が縦長にある状態であることを特徴とする請求項１０ないし１２のいずれかに記載の映像表示方法。
【請求項１５】
表示手段が設けられた表示部筐体と操作手段が設けられた操作部筐体とを有し、前記表示部筐体が前記操作部筐体に対して可動である携帯端末の前記表示手段に映像を表示する映像表示プログラムであって、
前記表示部筐体が第１の状態にあるか、前記第１の状態とは異なる第２の状態にあるかを検出するステップと、
前記表示部筐体が第１の状態にあると検出された場合には、前記表示手段に映像を表示し、前記表示部筐体が第２の状態にあると検出された場合には、前記表示手段に映像と映像以外の情報とを並べて表示するステップと
をコンピュータに実行させることを特徴とする映像表示プログラム。
【発明の詳細な説明】
【技術分野】
【０００１】
本発明は、テレビ放送を受信したり、動画を再生したりすることが可能な携帯端末、映像表示方法および映像表示プログラムに関する。
【背景技術】
【０００２】
携帯電話の高機能化が進み、携帯電話でもテレビ放送、特に高画質でデータ放送を伴うデジタルテレビ放送の受信が可能となりつつある。また、携帯電話の内部あるいは着脱可能な記録媒体に記録された動画データを長時間にわたり再生することが可能となってきている。
【０００３】
一般的に、映像は横長であり、携帯電話において、画面全体に表示するには画面を横長にして表示するのに適している。一方、メール作成など、映像を見る以外の操作を行う場合には、画面を縦長にしての操作が適している。このため、映像を画面全体に表示する場合と、メールなどを表示する場合とでは、画面の表示方向の切り替えを行う必要がある。
【０００４】
このような画面切り替えは、ユーザが行う必要があるが、画面の表示方向を表示部の位置により自動的に変更する技術として、本体と表示部の位置関係により画面全体の表示を自動的に回転させるようにしている（例えば特許文献１参照）。
【特許文献１】特開２００４−６４７１６号公報
【発明の開示】
【発明が解決しようとする課題】
【０００５】
ところで、ユーザがテレビ放送を全画面に表示して視聴しているときに、データ放送を見ようとする場合、表示部分を操作に適した形態に変更し、画面の表示方向を横方向から縦方向に切り替え、さらに、データ放送の表示を指示するといった一連の操作が必要となる。
【０００６】
そこで本発明は、ユーザが特別な操作をしなくても、表示部の状態や表示すべきデータに応じて、映像や映像とデータを見たり、操作したりするのに最適な状態で映像や映像とデータを表示することができる携帯端末、映像表示方法および映像表示プログラムを提供することを目的とする。
【課題を解決するための手段】
【０００７】
上記目的達成のため、請求項１記載の発明による携帯端末は、表示手段が設けられた表示部筐体と操作手段が設けられた操作部筐体とを有し、前記表示部筐体が前記操作部筐体に対して可動である携帯端末であって、前記表示部筐体が第１の状態にあるか、前記第１の状態とは異なる第２の状態にあるかを検出する状態検出手段と、前記状態検出手段により前記表示部筐体が第１の状態にあると検出された場合には、前記表示手段に映像を表示し、前記状態検出手段により前記表示部筐体が第２の状態にあると検出された場合には、前記表示手段に映像と映像以外の情報とを並べて表示する表示切り替え手段と具備することを特徴とする。
【０００８】
また、好ましい態様として、例えば請求項２記載のように、請求項１記載の携帯端末において、データ放送を含むテレビ放送を受信する受信手段を具備し、前記表示切り替え手段は、前記状態検出手段により前記表示部筐体が第１の状態にあると検出された場合には、前記表示手段にテレビ放送を表示し、前記状態検出手段により前記表示部筐体が第２の状態にあると検出された場合には、前記表示手段にテレビ放送とデータ放送とを並べて表示するようにしてもよい。
【０００９】
また、好ましい態様として、例えば請求項３記載のように、請求項２記載の携帯端末において、新着メールが受信されたことを検出するメール検出手段とを具備し、前記表示切り替え手段は、前記状態検出手段により前記表示部筐体が第２の状態にあると検出された場合に、前記メール検出手段により新着メールが検出された場合には、データ放送に代えて前記新着メールの内容を表示するようにしてもよい。
【００１０】
また、好ましい態様として、例えば請求項４記載のように、請求項１ないし３のいずれかに記載の携帯端末において、前記状態検出手段は、前記操作手段が外向きの前記表示部筐体によって覆われた状態を前記第１の状態として検出し、前記操作手段が操作可能な状態を第２の状態として検出するようにしてもよい。
【００１１】
また、好ましい態様として、例えば請求項５記載のように、請求項１ないし３のいずれかに記載の携帯端末において、前記状態検出手段は、前記表示手段が横長にある状態を前記第１の状態として検出し、前記表示手段が縦長にある状態を第２の状態として検出するようにしてもよい。
【００１２】
また、好ましい態様として、例えば請求項６記載のように、請求項４または５記載の携帯端末において、前記表示部筐体と前記操作部筐体とは、前記表示部筐体が第１の回転軸と該第１の回転軸と直交する第２の回転軸とで回転可能な２軸ヒンジ機構で結合されていてもよい。
【００１３】
また、好ましい態様として、例えば請求項７記載のように、請求項４または５記載の携帯端末において、前記表示部筐体と前記操作部筐体とは、前記操作部筐体を前記表示部筐体の下方に出し入れ可能なスライド機構で結合されていてもよい。
【００１４】
また、好ましい態様として、例えば請求項８記載のように、請求項４または５記載の携帯端末において、前記表示部筐体と前記操作部筐体とは、前記表示部筐体を外向きにした状態で水平方向に少なくとも１８０度回転可能な回転機構で結合されていてもよい。
【００１５】
また、好ましい態様として、例えば請求項９記載のように、請求項５記載の携帯端末において、前記表示部筐体と前記操作部筐体とは、前記表示部筐体が前記操作部筐体に対して横に少なくとも９０度回転可能な回転機構で結合されていてもよい。
【００１６】
また、上記目的達成のため、請求項１０記載の発明による映像表示方法は、表示手段が設けられた表示部筐体と操作手段が設けられた操作部筐体とを有し、前記表示部筐体が前記操作部筐体に対して可動である携帯端末の前記表示手段に映像を表示する映像表示方法であって、前記表示部筐体が第１の状態にあるか、前記第１の状態とは異なる第２の状態にあるかを検出し、前記表示部筐体が第１の状態にあると検出された場合には、前記表示手段に映像を表示し、前記表示部筐体が第２の状態にあると検出された場合には、前記表示手段に映像と映像以外の情報とを並べて表示することを特徴とする。
【００１７】
また、好ましい態様として、例えば請求項１１記載のように、請求項１０記載の映像表示方法において、前記映像は、テレビ放送であり、前記映像以外の情報は、テレビ放送に含まれるデータ放送であってもよい。
【００１８】
また、好ましい態様として、例えば請求項１２記載のように、請求項１１記載の映像表示方法において、前記映像以外の情報は、新着メールの内容であってもよい。
【００１９】
また、好ましい態様として、例えば請求項１３記載のように、請求項１０ないし１２のいずれかに記載の映像表示方法において、前記第１の状態は、前記操作手段が外向きの前記表示部筐体によって覆われた状態であり、前記第２の状態は、前記操作手段が操作可能な状態であってもよい。
【００２０】
また、好ましい態様として、例えば請求項１４記載のように、請求項１０ないし１２のいずれかに記載の映像表示方法において、前記第１の状態は、前記表示手段が横長にある状態であり、前記第２の状態は、前記表示手段が縦長にある状態であってもよい。
【００２１】
また、上記目的達成のため、請求項１５記載の発明による映像表示プログラムは、表示手段が設けられた表示部筐体と操作手段が設けられた操作部筐体とを有し、前記表示部筐体が前記操作部筐体に対して可動である携帯端末の前記表示手段に映像を表示する映像表示プログラムであって、前記表示部筐体が第１の状態にあるか、前記第１の状態とは異なる第２の状態にあるかを検出するステップと、前記表示部筐体が第１の状態にあると検出された場合には、前記表示手段に映像を表示し、前記表示部筐体が第２の状態にあると検出された場合には、前記表示手段に映像と映像以外の情報とを並べて表示するステップとをコンピュータに実行させることを特徴とする。
【発明の効果】
【００２２】
請求項１記載の発明によれば、状態検出手段により、前記表示部筐体が第１の状態にあるか、前記第１の状態とは異なる第２の状態にあるかを検出し、表示切り替え手段により、前記表示部筐体が第１の状態にあると検出された場合には、前記表示手段に映像を表示し、前記表示部筐体が第２の状態にあると検出された場合には、前記表示手段に映像と映像以外の情報とを並べて表示するようにしたので、表示部の状態や表示すべきデータに応じて、映像や映像とデータを見たり、操作したりするのに最適な状態で映像や映像とデータを表示することができるという利点が得られる。
【００２３】
また、請求項２記載の発明によれば、前記表示切り替え手段により、前記表示部筐体が第１の状態にあると検出された場合には前記表示手段にテレビ放送を表示し、前記状態検出手段により前記表示部筐体が第２の状態にあると検出された場合には前記表示手段にテレビ放送とデータ放送とを並べて表示するようにしたので、表示部の状態や表示すべきデータに応じて、映像や映像とデータを見たり、操作したりするのに最適な状態で映像や映像とデータを表示することができるという利点が得られる。
【００２４】
また、請求項３記載の発明によれば、メール検出手段により新着メールが検出された場合には、データ放送に代えて前記新着メールの内容を表示するようにしたので、表示部の状態や表示すべきデータに応じて、映像や映像とデータを見たり、操作したりするのに最適な状態で映像や映像とデータを表示することができるという利点が得られる。
【００２５】
また、請求項４記載の発明によれば、前記状態検出手段により、前記操作手段が外向きの前記表示部筐体によって覆われた状態を前記第１の状態として検出し、前記操作手段が操作可能な状態を第２の状態として検出するようにしたので、表示部の状態や表示すべきデータに応じて、映像や映像とデータを見たり、操作したりするのに最適な状態で映像や映像とデータを表示することができるという利点が得られる。
【００２６】
また、請求項５記載によれば、前記状態検出手段により、前記表示手段が横長にある状態を前記第１の状態として検出し、前記表示手段が縦長にある状態を第２の状態として検出するようにしたので、表示部の状態や表示すべきデータに応じて、映像や映像とデータを見たり、操作したりするのに最適な状態で映像や映像とデータを表示することができるという利点が得られる。
【００２７】
また、請求項６記載の発明によれば、前記表示部筐体と前記操作部筐体とを、前記表示部筐体が第１の回転軸と該第１の回転軸と直交する第２の回転軸とで回転可能な２軸ヒンジ機構で結合するようにしたので、表示部の状態や表示すべきデータに応じて、映像や映像とデータを見たり、操作したりするのに最適な状態で映像や映像とデータを表示することができるという利点が得られる。
【００２８】
また、請求項７記載の発明によれば、前記表示部筐体と前記操作部筐体とを、前記操作部筐体を前記表示部筐体の下方に出し入れ可能なスライド機構で結合するようにしたので表示部の状態や表示すべきデータに応じて、映像や映像とデータを見たり、操作したりするのに最適な状態で映像や映像とデータを表示することができるという利点が得られる。
【００２９】
また、請求項８記載の発明によれば、前記表示部筐体と前記操作部筐体とを、前記表示部筐体を外向きにした状態で水平方向に少なくとも１８０度回転可能な回転機構で結合するようにしたので、表示部の状態や表示すべきデータに応じて、映像や映像とデータを見たり、操作したりするのに最適な状態で映像や映像とデータを表示することができるという利点が得られる。
【００３０】
また、請求項９記載の発明によれば、前記表示部筐体と前記操作部筐体とを、前記表示部筐体が前記操作部筐体に対して横に少なくとも９０度回転可能な回転機構で結合するようにしたので、表示部の状態や表示すべきデータに応じて、映像や映像とデータを見たり、操作したりするのに最適な状態で映像や映像とデータを表示することができるという利点が得られる。
【００３１】
また、請求項１０記載によれば、前記表示部筐体が第１の状態にあるか、前記第１の状態とは異なる第２の状態にあるかを検出し、前記表示部筐体が第１の状態にあると検出された場合には、前記表示手段に映像を表示し、前記表示部筐体が第２の状態にあると検出された場合には、前記表示手段に映像と映像以外の情報とを並べて表示するようにしたので、表示部の状態や表示すべきデータに応じて、映像や映像とデータを見たり、操作したりするのに最適な状態で映像や映像とデータを表示することができるという利点が得られる。
【００３２】
また、請求項１１記載の発明によれば、前記映像をテレビ放送とし、前記映像以外の情報をテレビ放送に含まれるデータ放送としたので、表示部の状態や表示すべきデータに応じて、映像や映像とデータを見たり、操作したりするのに最適な状態で映像や映像とデータを表示することができるという利点が得られる。
【００３３】
また、請求項１２記載によれば、前記映像以外の情報を、新着メールの内容としたので、表示部の状態や表示すべきデータに応じて、映像や映像とデータを見たり、操作したりするのに最適な状態で映像や映像とデータを表示することができるという利点が得られる。
【００３４】
また、請求項１３記載の発明によれば、前記第１の状態を、前記操作手段が外向きの前記表示部筐体によって覆われた状態とし、前記第２の状態を、前記操作手段が操作可能な状態としたので、表示部の状態や表示すべきデータに応じて、映像や映像とデータを見たり、操作したりするのに最適な状態で映像や映像とデータを表示することができるという利点が得られる。
【００３５】
また、請求項１４記載によれば、前記第１の状態を、前記表示手段が横長にある状態とし、前記第２の状態を、前記表示手段が縦長にある状態としたので、表示部の状態や表示すべきデータに応じて、映像や映像とデータを見たり、操作したりするのに最適な状態で映像や映像とデータを表示することができるという利点が得られる。
【００３６】
また、請求項１５記載の発明によれば、前記表示部筐体が第１の状態にあるか、前記第１の状態とは異なる第２の状態にあるかを検出するステップと、前記表示部筐体が第１の状態にあると検出された場合には、前記表示手段に映像を表示し、前記表示部筐体が第２の状態にあると検出された場合には、前記表示手段に映像と映像以外の情報とを並べて表示するステップとをコンピュータに実行させるようにしたので、表示部の状態や表示すべきデータに応じて、映像や映像とデータを見たり、操作したりするのに最適な状態で映像や映像とデータを表示することができるという利点が得られる。
【発明を実施するための最良の形態】
【００３７】
以下、本発明の実施の形態を、携帯端末の一例として、携帯電話を用いて図面を参照して説明する。
Ａ．実施形態の構成
図１は、本発明の実施形態による携帯電話１００の構成を示すブロック図である。図において、放送受信制御部１０１は、テレビの電波を受信し、映像データ、データ放送データ、音声データなどの取り出しを行う。データ放送処理部１０２は、放送受信制御部１０１からデータ放送データを受け取り、所定の処理を行う。映像処理部１０３は、放送受信制御部１０１から映像データを受け取り、デコードなどの処理を行う。
【００３８】
音声処理部１０４は、放送受信制御部１０１から音声データを受け取り、デコードなどの処理を行う。表示制御部１０５は、データ放送処理部１０２、映像処理部１０３、携帯電話制御１１０から表示データを受け取り、図示しないＬＣＤなどの画面に表示を行う。音出力制御部１０６は、音声処理部１０４から音声データを受け取り、図示しないスピーカなどから出力する。
【００３９】
表示部状態検出部１０７は、図示しない表示部の状態（縦長状態か横長状態）を検出するが、検出する状態の詳細については後述する。画面制御部１０８は、表示部状態検出部１０７で検出された状態に従って、表示制御部１０５で表示する内容を変更する制御を行う。内部状態管理部１０９は、メールの着信の有無などを管理する。携帯電話制御部１１０は、携帯電話の通信機能、ユーザ入力の受付など携帯電話全般の制御を行う。
【００４０】
次に、表示部状態検出部１０７で検出する携帯電話の表示部の状態および各状態での画面の構成例について説明する。ここで、図２は、携帯電話の表示部の状態および各状態での画面の構成例を示す模式図である。ここでは、主に映像を見るのに適した状態を映像閲覧状態と呼び、映像とデータ放送の両方をみたり、操作をしたりするのに適した状態を映像・データ閲覧状態と呼ぶことにする。映像閲覧状態では、例えば、図２（ｂ）に示すように、携帯電話１００の表示部１２０を横にし、表示部１２０いっぱいに映像１３０を表示する。映像・データ閲覧状態では、例えば、図２（ａ）に示すように、携帯電話１００の表示部１２０を縦にし、画面の上部に映像１３０、下部にデータ放送の内容１４０を表示する。
【００４１】
次に、映像閲覧状態および映像・データ閲覧状態の具体例について、図３から図６を参照して説明する。
【００４２】
図３（ａ）〜（ｃ）は、キー操作部筐体と表示部筐体とが２軸ヒンジ機構で結合された携帯電話の例を示す模式図である。図３（ａ）〜（ｃ）に示すように、携帯電話１００ａのキー操作部１２５ａと表示部１２０ａとは、２軸ヒンジ機構で結合されており、表示部１２０ａを１８０度以上回転させることが可能（閉じたときに、表示面を内側あるいは外側にできる）になっている。図３（ａ）が映像・データ閲覧状態であり、図３（ｂ）が映像閲覧状態である。図３（ｃ）は映像閲覧状態の携帯電話を横から見た図である。
【００４３】
図４（ａ）〜（ｃ）は、スライド機構を有する携帯電話の例を示す模式図である。図４（ａ）〜（ｃ）に示すように、携帯電話１００ｂは、スライド機構により、キー操作部１２５ａを表示部１２０ｂの下に隠したり、引き出したりすることができるようになっている。図４（ａ）が映像・データ閲覧状態であり、図４（ｂ）が映像閲覧状態である。図４（ｃ）は映像閲覧状態の携帯電話を横から見た図である。
【００４４】
図５（ａ）〜（ｃ）は、キー操作部筐体と表示部筐体とが回転機構により結合された携帯電話の例を示す模式図である。図５（ａ）〜（ｃ）に示すように、携帯電話１００ｃのキー操作部１２５ｃと表示部１２０ｃとが回転機構により結合され、表示部１２０ｃを水平回転させることにより、キー操作部１２５ｃを表示部１２０ｃの下に格納したり、引き出したりすることが可能なものである。図５（ａ）が映像・データ閲覧状態であり、図５（ｂ）が映像閲覧状態である。図５（ｃ）は映像閲覧状態の携帯電話を横から見た図である。
【００４５】
図６（ａ），（ｂ）は、表示部筐体をキー操作部筐体に対して９０度回転させることが可能な携帯電話の例を示す模式図である。図６（ａ），（ｂ）に示すように、携帯電話１００ｄの表示部１２０ｄをキー操作部１２５ｄに対して９０度回転させることが可能となっている。図６（ａ）が映像・データ閲覧状態であり、図６（ｂ）が映像閲覧状態である。
【００４６】
上述したように、いくつかの例を挙げたが、一般的には、キー操作部、表示部の両方がユーザに見え、ユーザがキー操作部を操作できる状態を映像・データ閲覧状態、キー操作部が隠れ映像を表示部いっぱいに表示するのに適した状態を映像閲覧状態とすることができる。
【００４７】
Ｂ．実施形態の動作
次に、上述した実施形態の動作について説明する。ここで、図７は、本実施形態において、表示部の状態により表示内容を切り替える表示切り替え処理を説明するためのフローチャートである。表示切り替え処理では、まず、表示部１２０の状態をチェックする（ステップＳ１０）。そして、表示部１２０の状態が映像閲覧状態の場合には、画面いっぱいに映像を表示する（ステップＳ１２）。なお、このとき、必ずしも画面いっぱいに映像を表示する必要はなく、ピクト、ソフトキーなどの表示を残しておいてもよい。一方、表示部１２０の状態が映像・データ閲覧状態の場合には、例えば、図２（ａ）に示したように、表示画面の上部に映像１３０を表示し、表示画面の下部にデータ放送の内容１４０を表示する。
【００４８】
なお、映像閲覧状態と、映像・データ閲覧状態とでは、画像を９０度回転させる処理を行う。これにより、表示部の状態に適した映像を表示することが可能となる。
【００４９】
上述した例では、表示画面の下部にデータ放送の内容１４０を表示する例を示したが、メールの着信があった場合などに、データ放送の代わりに表示画面の下部にメールを表示するようにしてもよい。
【００５０】
次に、上記データ放送の代わりにメールを表示する表示切り替え処理について説明する。ここで、図８は、本実施形態において、データ放送の代わりにメールを表示する表示切り替え処理を説明するためのフローチャートである。当該表示切り替え処理では、前述した表示切り替え処理と同様に、まず、表示部１２０の状態をチェックする（ステップＳ２０）。そして、表示部１２０の状態が映像閲覧状態の場合には、画面いっぱいに映像を表示する（ステップＳ２２）。一方、表示部１２０の状態が映像・データ閲覧状態の場合には、携帯電話の内部の状態、例えば新着メールのあり／なしをチェックする（ステップＳ２４）。
【００５１】
そして、新着メールがない場合には、例えば図２（ａ）に示したように、表示画面の上部に映像１３０を表示し、表示画面の下部にデータ放送の内容１４０を表示する（ステップＳ２６）。一方、新着メールがあった場合には、表示画面の下部にデータ放送の代わりにメールの内容（例えば、送信者、タイトル、本文の一部など）を表示する（ステップＳ２８）。
【００５２】
なお、上述した説明では、テレビ受信中の処理について説明したが、携帯電話内部あるいは取り外し可能な記録媒体（たとえばＳＤカードなど）に記録された動画を再生する場合にも適用することができる。この場合、映像の表示にテレビの映像でなく、ＳＤカードなどに記録された動画の映像を表示するようにすればよい。
【００５３】
上述した実施形態によれば、ユーザが特別な操作をしなくても、ユーザが表示部分を操作に適した形に変更するだけで、映像を見るのに適した状態では映像のみを、映像とデータ放送を見たり、操作したりするのに適した状態では、映像とデータ（あるいはメールの内容）を表示することができる。なお、表示切り替え処理は、例えばテレビを見ているときにのみに実行し、メール作成中など、切り替えを行いたくない場合には行わないようにしてもよい。
【図面の簡単な説明】
【００５４】
【図１】本発明の実施形態による携帯電話１００の構成を示すブロック図である。
【図２】携帯電話の表示部の状態および各状態での画面の構成例を示す模式図である。
【図３】キー操作部筐体と表示部筐体とが２軸ヒンジ機構で結合された携帯電話の例を示す模式図である。
【図４】スライド機構を有する携帯電話の例を示す模式図である。
【図５】キー操作部筐体と表示部筐体とが回転機構により結合された携帯電話の例を示す模式図である。
【図６】表示部筐体をキー操作部筐体に対して９０度回転させることが可能な携帯電話の例を示す模式図である。
【図７】本実施形態において、表示部の状態により表示内容を切り替える表示切り替え処理を説明するためのフローチャートである。
【図８】本実施形態において、データ放送の代わりにメールを表示する表示切り替え処理を説明するためのフローチャートである。
【符号の説明】
【００５５】
１００、１００ａ〜１００ｄ  携帯電話
１０１  放送受信制御部（受信手段）
１０２  データ放送処理部
１０３  映像処理部
１０４  音声処理部
１０５  表示制御部
１０６  音出力制御部
１０７  表示部状態検出部（状態検出手段）
１０８  画面制御部（表示切り替え手段）
１０９  内部状態管理部（メール検出手段）
１１０  携帯電話制御部
１２０、１２０ａ〜１２０ｄ  表示部
１２５、１２５ａ〜１２５ｄ  キー操作部
１３０  映像
１４０  データ放送の内容
【図１】
2006180071.tif 000003
【図２】
2006180071.tif 000004
【図３】
2006180071.tif 000005
【図４】
2006180071.tif 000006
【図５】
2006180071.tif 000007
【図６】
2006180071.tif 000008
【図７】
2006180071.tif 000009
【図８】
2006180071.tif 000010